(57)【特許請求の範囲】
【請求項１】
地下構造物の給気シャフトを通じて各層の給気口に設けられる給気ファンと、
前記地下構造物の排気シャフトに向かって各層の排気口に設けられる排気ファンと、
前記地下構造物の各層の天井に支持され、前記給気ファンから前記排気ファンに多数の空気の流れる経路を形成する多数の連結ファンと、
前記地下構造物の各層の天井に均一に散布されたセンサーから電気的な信号を受入れて、前記給気ファン及び前記排気ファンと多数の前記連結ファンを総括制御する制御部と、
で構成され、
前記給気ファン及び前記排気ファンは、角柱状フレーム内に支持された円筒状ファンからなり、
前記給気ファンと前記連結ファンとのうち何れか一つ以上には、送風によって発生する負圧で水を吸入して微細に噴射する噴霧ノズルが更に構成され、
前記噴霧ノズルは、多数の同心円状管路と十字線状管路からなるネットフィルターに多数設けられ、前記噴霧ノズルには給水管路が連結されることを特徴とする統合化地下換気装置。
【請求項２】
前記給気ファンと前記排気ファンとのうち何れか一つ以上には、ファンの作動有無によって開閉され、温度によって動作するヒューズを媒介として強制的に閉鎖される防火用ダンパーが更に構成されることを特徴とする、請求項１に記載の統合化地下換気装置。
【請求項３】
前記センサーは、温度、湿度、有害ガス濃度、及び微細塵埃量のうち何れか一つ以上を検出し、前記制御部は、地下構造物の温度、湿度、有害ガス濃度、及び微細塵埃量を設定された基準値以下に維持させることを特徴とする、請求項１に記載の統合化地下換気装置。
【請求項４】
前記連結ファンは、２軸以上の制御が可能な指向角度調節手段を媒介として、地下構造物の天井に支持されることを特徴とする、請求項１に記載の統合化地下換気装置。
【請求項５】
前記噴霧ノズルは、円筒状ファンの吐出口の枠に沿って、放射状の等間隔を空いて多数設けられ、前記噴霧ノズルには、給水管路が連結されることを特徴とする、請求項１に記載の統合化地下換気装置。
【請求項６】
前記給気ファンには、陰イオン発生器が更に設けられ、給気に陰イオンを混合して給気したことを特徴とする、請求項１に記載の統合化地下換気装置。
【請求項７】
前記防火用ダンパーは、
両端の回転軸が前記フレームを貫通して回転可能に支持され、重量体が設けられて水平に多段配列される多数のブレードと、
多数の前記回転軸の一側にそれぞれ固定されたリンクアームを一体に連結して、多数の前記ブレードの開度量を同一に維持する連結リンクと、
多数の前記回転軸のうち何れか一つの他側に回転可能に支持され、一側に係止フックが形成され、リング状で構成されて円周上の所定区間の角度制御リングが形成されたロックプレートと、
前記ロックプレートを支持する前記回転軸の末端に固定されて一体に回転し、前記角度制御リングに対応して法線方向に突き出た係止端と、
前記ロックプレートの係止フックにかけられ、所定温度の以下で固体状態を維持して前記ロックプレートの回転を制限し、所定温度を超過する際に溶融され、前記ロックプレートの回転を可能にするヒューズと、
前記ロックプレートを弾力的に回転させる弾性体と、
で構成されることを特徴とする、請求項２に記載の統合化地下換気装置。
【請求項８】
前記ブレードは、前記重量体が設けられた反対側が折り曲げられた断面からなり、水平に通過する空気の流れが上側に向かうようにして、前記ブレードの長さはその設置高さが前記フレームの下部に位置するほど次第に長く形成されることを特徴とする、請求項７に記載の統合化地下換気装置。
【発明の詳細な説明】
【技術分野】
【０００１】
本発明は、統合化地下換気装置に関し、特に、地下換気装置を改善して給気時に潜熱を用いて断熱冷房を行い、排気によって自ら開閉されるダンパーが火災時には強制的に閉鎖され、地下構造物において、局部的な空気状態によって総括的な自動制御が可能になるようにする装置であって、地下構造物の内部温度が上昇することを安価で制御可能であり、火災安全性を向上させ、特に、火災初期の鎮火が可能であると共に、地下構造物の空気の質を大きく向上させ、設備全体の商品性及びメンテナンス性を大きく向上させることができる装置に関する。
【背景技術】
【０００２】
一般的に、高層マンションや高層ビルの地下構造物には、通常は駐車場が設けられているが、このような地下構造物は自然換気によっては空気が循環され難く、特に、自動車の排気ガス及びその他の残存ガスが常に存在するため、強制換気によって空気を循環させていることが実情である。
【０００３】
図１は、従来の地下換気装置を示す断面図であり、従来の地下換気装置は、図１に示すように、新鮮な外気を給気するために、地下構造物１に垂直に形成された給気シャフト１０には給気ファン１１が設けられ、汚染された内気を排気するために、地下構造物１に垂直に形成された排気シャフト２０には排気ファン２１が設けられている。
【０００４】
これと共に、前記地下構造物１の内部空間には多数の連結ファン３０が設けられ、前記給気ファン１１から前記排気ファン２１に空気の流れる経路を形成し、前記排気シャフト２０内には誘導ファン４０が設けられ、上側に排気を誘導している。
【０００５】
このような構成によって、従来の地下換気装置は、給気ファン１１が動作して給気シャフト１０を通じて地下構造物１の強制給気が行われ、地下構造物１の内部の汚染された空気は連結ファン３０によって前記排気ファン２１に送られた後、排気ファン２１が動作して排気シャフト２０を通じて強制排気が行われる。
【０００６】
この際、前記誘導ファン４０の動作により、排気シャフト２０を通じた排気が逆流されず、円滑に行われるようになる。
【０００７】
しかし、従来の地下換気装置は、高温地域や夏季に高温の外気がそのまま地下構造物１に給気されるため、内部温度が高まって別途に冷房を行う必要があり、冷房電力の消耗が大きくなり、また、地下構造物１での火災発生時、火災による高温の空気が排気シャフト２０を通じて他層へ広がりやすくなり、大型火災の危険性が常にあった。
【０００８】
特に、従来の地下換気装置は、給気ファン１１、排気ファン２１、及び連結ファン３０の全体の作動が単に「オン」と「オフ」で制御されているため、大型の地下構造物１において、局部的な換気が不可能となり、全体のファンを作動させて換気を行うので、稼動費用が非常に高いという従来技術上の問題があった。
【発明の概要】
【発明が解決しようとする課題】
【０００９】
本発明は、上記の問題点を解消するためのものであって、地下換気装置を改善して給気時の潜熱を用いて断熱冷房を行うことで、地下構造物の内部温度が上昇することを安価で制御可能であり、排気によって自ら開閉されるダンパーが火災時には強制的に閉鎖されることで、火災が他層へと広がることを防止して火災安全性を向上させ、特に、地下構造物において、局部的な空気状態によって総括的な自動制御が可能なので、火災初期の鎮火が可能であると共に、地下構造物の空気の質を大きく向上させ、設備全体の商品性及びメンテナンス性を大きく向上させることができるようにする統合化地下換気装置を提供しようとする。
【課題を解決するための手段】
【００１０】
このような本発明は、地下構造物の給気シャフトを通じて各層の給気口に設けられる給気ファンと、前記地下構造物の排気シャフトに向かって各層の排気口に設けられる排気ファンと、前記地下構造物の各層の天井に支持され、前記給気ファンから前記排気ファンに多数の空気の流れる経路を形成する多数の連結ファンと、前記地下構造物の各層の天井に均一に散布されたセンサーから電気的な信号の入力を受けて、前記給気ファン及び前記排気ファンと多数の前記連結ファンを総括制御する制御部と、で構成することによって達成される。
【００１１】
この際、前記給気ファン及び前記排気ファンは、角柱状フレーム内に支持された円筒状ファンからなることが好ましい。
【００１２】
これと共に、前記給気ファンと前記排気ファンとのうち何れか一つ以上には、ファンの作動有無によって開閉され、温度によって動作するヒューズを媒介として強制的に閉鎖される防火用ダンパーが更に構成されることが好ましい。
【００１３】
更に、前記給気ファンと前記連結ファンとのうち何れか一つ以上には、送風によって発生する負圧で水を吸入して微細に噴射する噴霧ノズルが更に構成されることが好ましい。
【００１４】
この際、前記センサーは、温度、湿度、有害ガス濃度、及び微細塵埃量のうち何れか一つ以上を検出し、前記制御部は、地下構造物の温度、湿度、有害ガス濃度、及び微細塵埃量を、設定された基準値以下に維持させることが好ましい。
【００１５】
また、前記連結ファンは、２軸以上の制御が可能な指向角度調節手段を媒介として、地下構造物の天井に支持されることが好ましい。
【００１６】
この際、前記噴霧ノズルは、円筒状ファンの吐出口の枠に沿って、放射状の等間隔を空いて多数設けられ、前記噴霧ノズルには、給水管路が連結されるものであっても好ましく、前記噴霧ノズルは、多数の同心円状管路と十字線状管路からなるネットフィルターに多数設けられ、前記噴霧ノズルには給水管路が連結されることも可能である。
【００１７】
更に、前記給気ファンには、陰イオン発生器が更に設けられ、給気に陰イオンを混合して給気することが好ましい。
【００１８】
特に、前記防火用ダンパーは、両端の回転軸が前記フレームを貫通して回転可能に支持され、重量体が設けられて水平に多段配列される多数のブレードと、多数の前記回転軸の一側にそれぞれ固定されたリンクアームを一体に連結して、多数の前記ブレードの開度量を同一に維持する連結リンクと、多数の前記回転軸のうち何れか一つの他側に回転可能に支持され、一側に係止フックが形成され、リング状で構成されて円周上の所定区間の角度制御リングが形成されたロックプレートと、前記ロックプレートを支持する前記回転軸の末端に固定されて一体に回転し、前記角度制御リングに対応して法線方向に突き出た係止端と、前記ロックプレートの係止フックにかけられ、所定温度の以下で固体状態を維持して前記ロックプレートの回転を制限し、所定温度を超過する際に溶融され、前記ロックプレートの回転を可能にするヒューズと、前記ロックプレートを弾力的に回転させる弾性体と、で構成されることが最も好ましい。
【００１９】
最後に、前記ブレードは、前記重量体が設けられた反対側が折り曲げられた断面からなり、水平に通過する空気の流れが上側に向かうようにし、前記ブレードの長さはその設置高さが前記フレームの下部に位置するほど次第に長く形成されることが好ましい。
【発明の効果】
【００２０】
以上のような本発明は、地下換気装置を改善して給気時の潜熱を用いて断熱冷房を行うことで、地下構造物の内部温度が上昇することを安価で制御可能であり、排気によって自ら開閉されるダンパーが火災時には強制的に閉鎖されることで、火災が他層へと広がることを防止して火災安全性を向上させ、特に、地下構造物において、局部的な空気状態によって総括的な自動制御が可能なので、火災初期の鎮火が可能であると共に、地下構造物の空気の質を大きく向上させ、設備全体の商品性及びメンテナンス性を大きく向上させることができる発明である。
【図面の簡単な説明】
【００２１】
【図１】従来の地下換気装置を示す断面図である。
【図２】本発明の統合化地下換気装置を示す断面図である。
【図３】本発明の統合化地下換気装置を示す平面図である。
【図４】本発明の統合化地下換気装置において給気ファンを示す図である。
【図５】本発明の統合化地下換気装置において噴霧ノズルの設置例を示す図である。
【図６】本発明の統合化地下換気装置において給気ファンの設置例を示す図である。
【図７】本発明の統合化地下換気装置において排気ファンを示す図である。
【図８】本発明の統合化地下換気装置において防火用ダンパーを示す図である。
【図９】本発明の統合化地下換気装置において防火用ダンパーの要部を示す分解斜視図である。
【図１０】本発明の統合化地下換気装置において防火用ダンパーの作動例を示す図である。
【図１１】本発明の統合化地下換気装置において排気ファンの設置例を示す図である。
【図１２】本発明の統合化地下換気装置において火災の発生時の連結ファンの作動例を示す図である。
【発明を実施するための形態】
【００２２】
図２は、本発明の統合化地下換気装置を示す断面図であり、図３は、本発明の統合化地下換気装置を示す平面図である。
【００２３】
更に、図４は、本発明の統合化地下換気装置において給気ファンを示す図であり、図４の（ａ）は正端面図であり、図４の（ｂ）は要部の斜視図である。
【００２４】
図５は、本発明の統合化地下換気装置において噴霧ノズルの設置例を示す図であり、図５の（ａ）はファンの吐出口に設けられた噴霧ノズルを例示し、図５の（ｂ）はフレームのネットフィルターに設けられた噴霧ノズルを例示し、図６は、本発明の統合化地下換気装置において給気ファンの設置例を示す図である。
【００２５】
また、図７は、本発明の統合化地下換気装置において排気ファンを示す図であり、図７の（ａ）はファンが動作して防火用ダンパーが開放された状態を示す図であり、図７の（ｂ）はファンが停止して防火用ダンパーが閉鎖された状態を示す。
【００２６】
図８は、本発明の統合化地下換気装置において防火用ダンパーを示す図であり、図８の（ａ）は左側面図であり、図８の（ｂ）は正面図であり、更に図８の（ｃ）は右側面図である。
【００２７】
図９は、本発明の統合化地下換気装置において防火用ダンパーの要部を示す分解斜視図であり、図１０は、本発明の統合化地下換気装置において防火用ダンパーの作動例を示す図であり、図１０の（ａ）は平常時のファンの動作有無によって防火用ダンパーが開閉可能な状態を示し、図１０の（ｂ）は火災時のファンの動作有無に関わらず、防火用ダンパーが強制的に閉鎖された状態を示す。
【００２８】
最後に、図１１は、本発明の統合化地下換気装置において排気ファンの設置例を示す図であり、図１２は、本発明の統合化地下換気装置において火災の発生時の連結ファンの作動例を示す図である。
【００２９】
本発明の統合化地下換気装置は、図２ないし図１２に示すように、地下構造物１に設けられる給気ファン１００、排気ファン２００、連結ファン３００、及びこれらのファンと有無線で接続された未図示の制御部で構成され、前記給気ファン１００には噴霧ノズル１１０及び／又は防火用ダンパー（未図示）が設けられ、防火の機能と共に、送風によって水を微細に噴霧することで冷却効果を有し、前記排気ファン２００には防火用ダンパー２１０が設けられ、火災の発生時に火災が広がることを予防し、前記連結ファン３００は噴霧ノズル（未図示）及び／又は２軸制御が可能な指向角度調節手段３１０が設けられ、送風方向を調節することができ、特に、前記制御部は、センサー４１０から検出された状態に応じて前記給気ファン１００、前記排気ファン２００、更に前記連結ファン３００の制御を総括制御して、地下構造物１に対する統合換気を円滑に行うことをその技術上の基本的な特徴とする。
【００３０】
本発明の実施例について、添付した図面を参照しながら詳しく説明すると、次のようである。
【００３１】
本発明の統合化地下換気装置は、地下構造物１の給気シャフト１０を通じて各層の給気口に設けられる給気ファン１００と、前記地下構造物１の排気シャフト２０に向けて各層の排気口に設けられる排気ファン２００と、前記地下構造物１の各層の天井に支持され、前記給気ファン１００から前記排気ファン２００に多数の空気の流れる経路を形成する多数の連結ファン３００と、前記地下構造物１の各層の天井に均一に散布されたセンサー４１０から電気的な信号の入力を受けて、前記給気ファン１００及び前記排気ファン２００と多数の前記連結ファン３００を総括制御する制御部と、で構成される。
【００３２】
先ず、マンションや高層ビルの地下に形成される地下構造物１には、図２及び図３に示すように、給気のための給気シャフト１０と排気のための排気シャフト２０が垂直に形成されており、前記給気シャフト１０を通じて新鮮な外気が給気され、前記排気シャフト２０を通じて汚染された内気が排気される。
【００３３】
この際、前記給気シャフト１０には、各層に給気口が形成されており、この給気口を通じて前記給気シャフト１０から地下構造物１の室内空間への給気が行われ、このような給気口には給気ファン１００が設けられて強制給気が行われる。
【００３４】
前記給気ファン１００は、図４に示すように、概ね四角柱状のフレーム１２０の内部に円柱状ファン１３０が支持されており、前記ファン１３０は電源の供給によって回転速度の制御が可能なモーター１３１によって回転する回転ファン１３２で構成されている。
【００３５】
特に、本発明において、前記給気ファン１００には送風によって発生する負圧で水を吸入して微細に噴射する噴霧ノズル１１０を含めていることを特徴とする。
【００３６】
即ち、本発明において、前記噴霧ノズル１１０は、図４の（ａ）及び図５の（ａ）に示すように、円筒状ファン１３０の吐出口１３１の枠に沿って放射状の等間隔を空いて多数設けられ、前記噴霧ノズル１１０には給水管路が連結されることが好ましい。
【００３７】
これによって、吐出口１３１の枠を一周して、内側に向かって設けられた多数の噴霧ノズル１１０が、水を微細な粒子状に噴霧するようになる。
【００３８】
これと同様に、本発明において、前記噴霧ノズル１１０は、図４の（ｂ）及び図５の（ｂ）に示すように、多数の同心円状管路１５１と十字線状管路１５２からなるネットフィルター１５０に多数設けられ、前記噴霧ノズル１１０には給水管路が連結されることも可能である。
【００３９】
これによって、給気ファン１００のフレーム１２０の前方に位置するネットフィルター１５０から多数の噴霧ノズル１１０が水を微細な粒子状に噴霧するようになる。
【００４０】
本発明において、前記給気ファン１００には前述した２つの噴霧ノズル１１０のうち何れか一つを選択して実施してもよいが、これから説明する連結ファン３００には後者の噴霧ノズル１１０を適用することが好ましい。
【００４１】
このような構成によって、別途の駆動原がなくても基本的に送風量に比例して水を吸入して、微細な粒子状に水を噴霧するようになり、このように噴霧された水は、蒸発潜熱によって噴射される給気の温度を下げるようになり、断熱冷房を行うようになる。
【００４２】
これを通じて、別途の冷房サイクルを構成する必要がなく、地下構造物１の断熱冷房を行うことができ、地下構造物１の換気を運用することに大きな経済的メリットを有するようになる。
【００４３】
副次的には、このように微細な粒子状に噴霧される水の粒子が、塵埃などの異物に粘着して落ちることにより、異物に対する濾過機能も有するようになる。
【００４４】
追加的には、噴霧された水を含有した給気を用いて初期の火災の鎮圧にも使用することができる。
【００４５】
更に、前記噴霧ノズル１１０に連結された給水管路を制御して、必要に応じては、例えば、外気温が下降した場合、前述した断熱冷却を行わないことも可能である。
【００４６】
また、前記給気ファン１００の吐出口１３１側には、図４に示すように、陰イオン発生器１４０を更に構成して、給気時に陰イオンを発生させることで、地下構造物１の室内空気を更に快適に維持することも可能である。
【００４７】
このような陰イオン発生器１４０は、給気の送風により自然に給気に混合されるように、例示した通り角に隣接して位置することが好ましい。
【００４８】
この際、前記給気ファン１００は１つの大容量のファンで構成することよりは、多数の小容量のファンを横と縦に積層して構成することが好ましく、例えば、図６に示すように、横×縦が４列×２列になるように積層して配列することも可能である。
【００４９】
次に、前記排気シャフト２０には各層に排気口が形成されており、この排気口を通じて地下構造物１の室内空間から前記排気シャフト２０への排気が行われ、このような排気口には排気ファン２００が設けられて強制排気を行うようになる。
【００５０】
この際、前記排気シャフト２０には、図２に示すように、層と層の間に誘導ファン５００を追加して排気の流れを更に円滑にすることも可能である。
【００５１】
前記排気ファン２００も、図７に示すように、概ね四角柱状のフレーム２２０の内部に円柱状ファン２３０が支持されており、前記ファン２３０も、前述した給気ファン１００と同様に、電源の供給によって回転速度の制御が可能なモーター２３１によって回転する回転ファン２３２で構成されている。
【００５２】
特に、本発明において、前記排気ファン２００には、ファンの作動有無によって開閉され、温度によって動作するヒューズ２１５を媒介として強制的に閉鎖される防火用ダンパー２１０を含めていることを特徴とする。
【００５３】
即ち、本発明において、前記防火用ダンパー２１０は、図７ないし図１０に示すように、両端の回転軸２１１ａ、２１１ｂが前記フレーム２２０を貫通して回転可能に支持され、重量体２１１ｃが設けられて水平に多段配列される多数のブレード２１１と、多数の前記回転軸２１１ａの一側にそれぞれ固定されたリンクアーム２１２ａを一体に連結して、多数の前記ブレード２１１の開度量を同一に維持する連結リンク２１２と、多数の前記回転軸２１１ｂのうち何れか一つの他側に回転可能に支持されて、一側に係止フック２１３ａが形成され、リング状で構成されて円周上の所定区間の角度制御リング２１３ｂが形成されたロックプレート２１３と、前記ロックプレート２１３を支持する前記回転軸２１１ｂの末端に固定されて一体に回転し、前記角度制御リング２１３ｂに対応して法線方向に突き出た係止端２１４と、前記ロックプレート２１３の係止フック２１３ａにかけられ、所定温度の以下で固体状態を維持して前記ロックプレート２１３の回転を制限し、所定温度を超過する際に溶融され、前記ロックプレート２１３の回転を可能にするヒューズ２１５と、前記ロックプレート２１３を弾力的に回転させる弾性体２１６と、で構成されることが好ましい。
【００５４】
先ず、前記ブレード２１１は、図７の（ｂ）に示すように、垂直に位置する場合、壁を形成し、水平に位置する場合、空気の流通が可能な平板状ウイングである。
【００５５】
この際、前記ブレード２１１の両側には、図８に示すように、それぞれの回転軸２１１ａ、２１１ｂが突き出て形成され、前記フレーム２２０に回転可能に支持される。
【００５６】
更に、前記ブレード２１１には、図７に示すように、重量体２１１ｃが設けられており、別途の外力が作用しない場合、図７の（ｂ）に示すように、前記重量体２１１ｃによって垂直な状態を維持し、送風が行われる場合、図７の（ａ）に示すように、空気の流れによって自ら開放される。
【００５７】
特に、前記ブレード２１１は方向性を有しており、単に排気ファン２００から順方向（図７において左から右へ）に送風される場合のみに開放され、排気シャフト２０からの逆方向（図７において右から左へ）への送風では開放されない。
【００５８】
この際、前記ブレード２１１の一側の回転軸２１１ａには、図８の（ｃ）に示すように、それぞれリンクアーム２１２ａが固定されて一体に回転し、このような多数のリンクアーム２１２は垂直に位置する一つの連結リンク２１２に回転可能に連結されており、多数のブレード２１１は何れも同じ角度を維持して回転するようになる。
【００５９】
更に、前記ブレード２１１の他側の回転軸２１１ｂのうち何れか一つには、図８の（ａ）及び図９と図１０に示すように、係止フック２１３ａが形成されたロックプレート２１３が回転可能に支持されている。
【００６０】
前記ロックプレート２１３は、概ね円板状で構成されており、その一側に角度制御リング２１３ｂが一体に形成されている。
【００６１】
前記角度制御リング２１３ｂは、図９及び図１０に示すように、一部が切り欠けられたリング状で構成されており、概ね９０度程度が切断されており、言い換えると、２７０度程度の閉区間と９０度程度の開区間とからなっている。
【００６２】
このような角度制御リング２１３ｂの開区間内には、これから説明する係止端２１４が位置して、その回転角度を制限するようになる。
【００６３】
これと共に、前記ブレード２１１の他側の回転軸２１１ｂの末端には係止端２１４が固定して締結されており、前記係止端２１４は、前記回転軸２１１ｂと一体に回転し、前記係止端２１４は、前記回転軸２１１ｂに対して法線方向に突き出て形成され、前記角度制御リング２１３ｂの開区間内に位置するようになる。
【００６４】
この際、図９において、図面符号２１７は軸受であり、未図示であるが、必要に応じてブッシュなどが付加され得る。
【００６５】
更に、ヒューズ２１５は、前記フレーム２２０に固定されたものであり、前記ロックプレート２１３の係止フック２１３ａがかけられ、前記ロックプレート２１３の回転を選択的に制限するようになる。
【００６６】
このようなヒューズ２１５は、その内部に鉛などのように融点が比較的低い金属を含んでいる。
【００６７】
この際、前記ヒューズ２１５は、火災発生時に所定温度を超えれば、ヒューズ端２１５ａが軸方向に移動して内部に入って、前記ロックプレート２１３の回転を可能にする。
【００６８】
最後に、前記ロックプレート２１３は、前記フレーム２２０に支持された２つ以上のコイルバネのような弾性体２１６によって、図１０において、左回りの方向に弾力的に回転するよう支持され、図１０の（ａ）に示すような状態で高温の影響で、前記ヒューズ２１５のヒューズ端２１５ａが内部に入る場合、図１０の（ｂ）に示すように、前記ロックプレート２１３を左回りの方向に弾力的に回転させるようになる。
【００６９】
このような構成によって、前記防火用ダンパー２１０は、平常時に、図１０の（ａ）に示すように、前記係止端２１４がロックプレート２１３の角度制御リング２１３ｂの開区間内に位置するようになり、前記ブレード２１１が概ね９０度の範囲内で回転することが可能になる。
【００７０】
これによって、排気ファン２００が作動する場合、図７の（ａ）に示すように、送風によって多数のブレード２１１が水平に開放されて排気が行われる一方、前記排気ファン２００が停止する場合、図７の（ｂ）に示すように、重量体２１１ｃによって垂直に閉鎖される。
【００７１】
これを通じて、前記排気ファン２００の作動時に開放され、前記排気ファン２００の停止時に閉鎖される動作と共に、給気シャフト２０から室内に汚染された空気が逆流することを防止できるようになる。
【００７２】
更に、火災の発生時には、前記ヒューズ２１５のヒューズ端２１５ａが内部に入ることにより、図１０の（ｂ）に示す通り、前記ヒューズ端２１５ａに係止フック２１３ａを通じてかけられていたロックプレート２１３が、弾性体２１６によって左回りの方向に回転することによって、前記角度制御リング２１３ｂも共に回転するようになる。
【００７３】
その結果、前記角度制御リング２１３ｂの開区間内に位置する係止端２１４は、閉区間によって強制的に左回りの方向に回転するようになり、前記係止端２１４が固定された回転軸２１１ｂを通じてブレード２１１を強制的に回転させることで、何れのブレード２１１も垂直に位置して、図７の（ｂ）に示すような形態のファイアウォールを形成するようになる。
【００７４】
これによって、火災発生時に多数のブレード２１１がファイアウォールを形成して、火災が他層へと広がることが予防されるのである。
【００７５】
このような場合、前記弾性体２１６の弾性係数は非常に高いので、前記排気ファン２００が送風を行っても前記ブレード２１１は開放されない。
【００７６】
未図示であるが、前述した防火用ダンパー２１０を、必要に応じて、前述した給気ファン１００に更に構成することも可能であり、これを通じて他層で発生した火災の熱気が給気と共に室内に入ってくることも予防可能になる。
【００７７】
これと共に、前記ブレード２１１は、図７に示すように、前記重量体２１１ｃが設けられた反対側が折り曲げられた断面からなり、水平に通過する空気の流れが上側に向かうようにし、前記ブレード２１１の長さはその設置高さが前記フレーム２２０の下部に位置するほど次第に長く形成されることが最も好ましい。
【００７８】
これを通じて、排気ファン２００の送風により前記ブレード２１１が水平に維持される場合、別途のガイドベインがなくても、折り曲げられたブレード２１１を通じて排気が送風することにより、自然に排気シャフト２０の上方に向かうようにすることが好ましい。
【００７９】
更に、前記ブレード２１１の長さを上から下に次第に長く形成すれば、ブレード２１１に沿って上方に折る位置が高さによって異なるため、排気の流れを更に円滑にすることが可能になる。
【００８０】
前述したように、折り曲げられた断面のブレード２１１は単に排気ファン２００に適用することが好ましく、前記給気ファン１００に設けられるブレード（未図示）はストレート型断面を有するようにすることが好ましい。
【００８１】
この際、前記排気ファン２００も、前述した給気ファン１００と同様に、一つの大容量のファンで構成することよりは、多数の小容量のファンを横と縦に積層して構成することが好ましく，例えば、図１１に示すように、横×縦が４列×２列になるように積層して配列することも可能である。
【００８２】
次に、連結ファン３００は、図２及び図１２に示すように、別途のフレームなしに地下構造物１の各層の天井に支持され、前記給気ファン１００から前記排気ファン２００に向かって、図３に示すように、多数の空気の流れる経路を形成するようになる。
【００８３】
特に、前記連結ファン３００を天井に支持するための指向角度調節手段３１０は、図１２に示すように、前記連結ファン３００を３６０度に回転させることができると共に、その上下指向角度を調節できる２軸以上の制御が可能なので、送風方向を多様に変化させることが可能である。
【００８４】
未図示であるが、前述した噴霧ノズルを前記連結ファン３００に適用することも可能である。
【００８５】
最後に、未図示の制御部は、前述した給気ファン１００、排気ファン２００、及び連結ファン３００にそれぞれ有線或いは無線で接続されていると同時に、前記地下構造物１の各層の天井に、図２及び図３に示すように、均一に散布されるように設けられたセンサー４１０とも連結されている。
【００８６】
前記センサー４１０は、地下構造物１の空気から温度、湿度、有害ガス濃度、及び微細塵埃量のうち何れか一つ以上を複合的に検出することができ、検出された数値を電気的な信号で前記制御部に送り出すようになる。
【００８７】
これを通じて、前記制御部は、基本的に、前記給気ファン１００、連結ファン３００、及び排気ファン２００を作動させ、地下構造物１の内部の汚染された空気を自ら検出して強制的に換気させることが可能であり、特に、センサー４１０から取得した地下構造物１上の局部的な汚染に対しても、該当空気の流れる経路上の近くの連結ファン３００が連動するように制御することも可能となる。
【００８８】
これを通じて、前記制御部４００は、地下構造物１に対して全体的な領域あるいは局部的な領域の温度、湿度、有害ガス濃度、及び微細塵埃量を、設定された基準値以下に維持させることが可能となる。
【００８９】
以下、図２ないし図１２を参照しながら本発明の作用について説明すると、次のようである。
【００９０】
上記のように構成された本発明の統合化地下換気装置は、図２及び図３に示すように、地下構造物１の内部に均一に散布されたセンサー４１０を通じて、制御部が室内の空気の質を確認するようになる。
【００９１】
若し、地下構造物１の内部の全体的な換気が要求されれば、前記給気ファン１００、連結ファン３００、及び排気ファン２００を何れも作動させて、地下構造物１の内部に多数の空気の流れる経路を形成することで、全体的な換気が行われるようになる。
【００９２】
反面、地下構造物１の内部の局部的な換気が要求されれば、前記給気ファン１００と排気ファン２００の作動と共に、所定の空気の流れる経路を形成するために、汚染が検出された区域の近くの連結ファン３００のみを選択的に作動させて換気を行うことも可能である。
【００９３】
これと共に、検出された室内空気の汚染度によって送風量を加減制御することも可能である。
【００９４】
更に、前記給気ファン１００には、噴霧ノズル１１０と陰イオン発生器１４０が設けられており、前記噴霧ノズル１１０は、給気によって水を微細な粒子に噴霧し、蒸発潜熱を用いて断熱冷却を行うことで、別途の冷房サイクルを構成しなくても高温地域または夏季に熱い外気が地下構造物１の内部に直接流れ込むことを防止し、副次的には異物に粘着して落とせる機能も有している。
【００９５】
また、前記給気ファン１００に設けられた陰イオン発生器１４０を通じて給気に陰イオンを含ませることができ、地下構造物１の内部を更に快適に維持することも可能である。
【００９６】
更に、未図示であるが、前記給気ファン１００に防火用ダンパーを付加することで、防火機能も付与できるようになる。
【００９７】
これと共に、前記排気ファン２００には防火用ダンパー２１０が設けられており、普段は排気送風によって自動的に開放され、排気ファン２００の未作動時には重量体２１１ｃによって自ら閉鎖され、排気シャフト２０から汚染された空気が逆流することを防止することができる。
【００９８】
特に、前記防火用ダンパー２１０は、火災発生時にヒューズ２１５を通じて強制的に閉鎖され、火災が他層へと広がることも別途の電源がなくても防止できる効果を有するようになる。
【００９９】
このような防火用ダンパーを給気ファン１００に適用することで、当該層に火災が広がることも予防できるようになる。
【０１００】
更に、本発明において、地下構造物１の天井には２軸以上の制御が可能な指向角度調節手段３１０を通じて多数の連結ファン３００が設けられると同時に、多数のセンサー４１０が均一に散布されているので、局部的な空気の汚染の発生時に、換気装置の全体を稼動させる必要がなく、当該区域が含まれるように連結ファン３００を作動させて、特定の空気の流れる経路のみに、汚染された内部空気が外部へと排出されるように制御することも可能である。
【０１０１】
これと共に、前記連結ファン３００にも、未図示の噴霧ノズルが設けられており、空気の流れる経路に、微細な粒子状の水を更に供給することが可能になる。
【０１０２】
特に、地下構造物１の内部で、図１２に示すように、火災発生時には、これをセンサー４１０が検出して、近くの連結ファン３００が当該領域を指向するように指向角度調節手段３１０で制御することで、前記給気ファン１００に設けられた噴霧ノズル１１０を通じて多くの水分を含む空気が給気された後、追加的に噴霧ノズルが設けられた連結ファン３００によって前記火災発生領域に向かうように制御し、初期の火災を鎮圧できる効果も更に有するようになる。
【産業上の利用可能性】
【０１０３】
よって、本発明の統合化地下換気装置は、次のような優れた利点を有している発明である。
【０１０４】
第一、給気時に給気ファン１００の噴霧ノズル１１０及び／又は連結ファン３００の噴霧ノズルを通じて、蒸発潜熱を用いて断熱冷房を行い、高温地域や夏季に別途の冷房サイクルを構成するか動作する必要がなく、地下構造物の内部温度が上昇することを安価で防止することができ、異物の除去機能も有する。
【０１０５】
第二、排気ファン２００及び／又は給気ファン１００に防火用ダンパーが設けられており、前記給気ファン１００及び／又は排気ファン２００の作動有無によって自ら開閉され、空気が逆流することを防止し、火災の発生時には強制的に閉鎖され、火災が他層へと広がることを防止し、火災安全性を向上させることができる。
【０１０６】
第三、地下構造物において、局部的な空気状態によって総括的な自動制御が可能なので、地下構造物１において全体的あるいは局部的な汚染発生時に、該当区域に対する局部的な換気が可能なので、従来と同様に、全システムを全部稼動する必要がなく、特に、初期の火災に対する鎮火が可能であり、地下構造物の空気の質を大きく向上させ、設備全体の商品性及びメンテナンス性を大きく向上させることができる。
【符号の説明】
【０１０７】
１  地下構造物
１０  給気シャフト
２０  排気シャフト
１００  給気ファン
１１０  噴霧ノズル
１２０  フレーム
１３０  円筒状ファン
１３１  吐出口
１４０  陰イオン発生器
２００  排気ファン
２１０  防火用ダンパー
２２０  フレーム
２１１  ブレード
２１１ａ、２１１ｂ  回転軸
２１１ｃ  重量体
２１２  連結リンク
２１２ａ  リンクアーム
２１３  ロックプレート
２１３ａ  係止フック
２１３ｂ  角度制御リング
２１４  係止端
２１５  ヒューズ
２１５ａ  ヒューズ端
２１６  弾性体
３００  連結ファン
３１０  指向角度調節手段
４１０  センサー
５００  誘導ファン
【図１】
0006490056.tif 000002
【図２】
0006490056.tif 000003
【図３】
0006490056.tif 000004
【図４】
0006490056.tif 000005
【図５】
0006490056.tif 000006
【図６】
0006490056.tif 000007
【図７】
0006490056.tif 000008
【図８】
0006490056.tif 000009
【図９】
0006490056.tif 000010
【図１０】
0006490056.tif 000011
【図１１】
0006490056.tif 000012
【図１２】
0006490056.tif 000013